【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
ベース構造及びヘッド構造を含むシェービング装置のようなパーソナルケア装置であって、
前記ヘッド構造は、第１の結合要素と、少なくとも１つのトリートメントヘッドを保持するように構成された少なくともヘッド支持構造とを含む一方、前記ベース構造は、第２の結合要素を含み、これら結合要素は、前記ヘッド構造を前記ベース構造に結合するために、互いに取り外し可能に結合することができ、
中心軸線の周りの第１の回転方向に、結合した結合要素を互いに対して回転させることによって、第１及び第２の結合要素の少なくとも一方の第１の傾斜面が、第１及び第２の結合要素の他方の第１の協働面と協働し、それにより、前記中心軸線と平行に延びる軸線方向に第１及び第２の結合要素を互いに離れる方向に駆動させ、
前記中心軸線の周りの第１の回転方向とは反対の第２の回転方向に、前記結合した結合要素を互いに対して回転させることによって、第１及び第２の結合要素の少なくとも一方の第２の傾斜面が、第１及び第２の結合要素の他方の第２の協働面と協働し、それにより、前記軸線方向に第１及び第２の結合要素を互いに離れる方向に駆動させ、
第１及び第２の傾斜面は、それぞれ、前記中心軸線に対して正接方向に延びる接線方向との鈍角を含み、
第１及び第２の傾斜面は、前記接線方向に対して反対方向に傾斜しており、
第１及び第２の傾斜面は、それぞれ、前記中心軸線に対して径方向に延びる半径方向との更なる鈍角を含む、
パーソナルケア装置。
【請求項２】
第１及び第２の傾斜面と協働する第１及び第２の結合要素の他方の第１及び第２の協働面は、傾斜している、
請求項１に記載のパーソナルケア装置。
【請求項３】
第１及び第２の傾斜面と第１及び第２の協働面とが、対応する傾きを有する、
請求項２に記載のパーソナルケア装置。
【請求項４】
第１及び第２の傾斜面は、前記中心軸線に対して基準半径方向に延びる基準面に対して正接方向に延びる長手方向の直線状の面である、
請求項１，２又は３に記載のパーソナルケア装置。
【請求項５】
前記ヘッド構造は、前記ベース構造に結合されたときに、前記結合要素によって単独で支持される、
請求項１乃至４のいずれか一項に記載のパーソナルケア装置。
【請求項６】
第１の結合要素及び第２の結合要素は、前記軸線方向とは反対の結合方向に第１及び第２の結合要素を互いに向かう方向に駆動することによって、非結合状態から互いに結合した結合状態に達し、及び前記軸線方向に第１及び第２の結合要素を互いに離れる方向に駆動することによって、前記結合状態から前記非結合状態に達するように構成される、
請求項１に記載のパーソナルケア装置。
【請求項７】
第１及び第２の結合要素の一方は、第１及び第２の結合要素の他方の少なくとも１つの相補的な凹部と協働するような少なくとも１つの凸部を含み、これら結合要素は、前記凸部が前記凹部に配置される場合にのみ、互いに結合することができる、
請求項６に記載のパーソナルケア装置。
【請求項８】
第１及び第２結合要素の一方は、全て互いに異なる多数の凸部を含むのに対して、第１及び第２の結合要素の他方は、前記凸部に相補的な多数の凹部を含む、
請求項７に記載のパーソナルケア装置。
【請求項９】
第１及び第２の傾斜面の位置及び傾きは、第１の結合要素と第２の結合要素とが、前記中心軸線の周りの９０°よりも小さい角度に亘って第１又は第２の回転方向のいずれかで、前記結合した結合要素を互いに対して回転させることにより、前記結合状態から前記非結合状態に達するように選択される、
請求項６に記載のパーソナルケア装置。
【請求項１０】
第１及び第２の結合要素の一方は、前記中心軸線に対して垂直方向に延びる溝と協働するための、前記中心軸線に対して垂直方向に延びるばね要素を含み、前記溝は、互いに結合したときに、前記結合要素を取り外し可能に保持するために第１及び第２の結合要素の他方に設けられる、
請求項６に記載のパーソナルケア装置。
【請求項１１】
請求項１乃至１０のいずれか一項に記載のシェービング装置のようなパーソナルケア装置で使用するためのヘッド構造であって、
該ヘッド構造は、結合要素と、少なくとも１つのトリートメントヘッドを保持するように構成された少なくともヘッド支持構造体とを含み、前記結合要素は、第１及び第２の傾斜面を含み、
第１及び第２の傾斜面は、それぞれ、前記結合要素の中心軸線に対して正接方向に延びる接線方向との鈍角を含み、
第１及び第２の傾斜面は、前記接線方向に対して反対方向に傾斜しており、
第１及び第２の傾斜面は、それぞれ、前記中心軸線に対して径方向に延びる半径方向との更なる鈍角を含む、
ヘッド構造。
【請求項１２】
請求項１乃至１０のいずれか一項に記載のシェービング装置のようなパーソナルケア装置で使用するためのベース構造であって、
該ベース構造は、結合要素を含んでおり、該結合要素は、第１及び第２の傾斜面を含み、
第１及び第２の傾斜面は、それぞれ、前記結合要素の中心軸線に対して正接方向に延びる接線方向との鈍角を含み、
第１及び第２の傾斜面は、前記接線方向に対して反対方向に傾斜しており、
第１及び第２の傾斜面は、それぞれ、前記中心軸線に対して径方向に延びる半径方向との更なる鈍角を含む、
ベース構造。
【請求項１３】
少なくとも第１の結合要素と第２の結合要素とを含む結合構造であって、これらの結合要素は、互いに取り外し可能に結合されており、
中心軸線の周りの第１の回転方向に、結合した結合要素を互いに対して回転させることによって、第１及び第２の結合要素の少なくとも一方の第１の傾斜面が、第１及び第２の結合要素の他方の第１の協働面と協働し、それにより、前記中心軸線と平行に延びる軸線方向に第１及び第２の結合要素を互いに離れる方向に駆動させ、
前記中心軸線の周りの第１の回転方向とは反対の第２の回転方向に、前記結合した結合要素を互いに対して回転させることによって、第１及び第２の結合要素の少なくとも一方の第２の傾斜面が、第１及び第２の結合要素の他方の第２の協働面と協働し、それにより、前記軸線方向に第１及び第２の結合要素を互いに離れる方向に駆動させ、
第１及び第２の傾斜面は、それぞれ、前記中心軸線に対して正接方向に延びる接線方向との鈍角を含み、
第１及び第２の傾斜面は、前記接線方向に対して反対方向に傾斜しており、
第１及び第２の傾斜面は、それぞれ、前記中心軸線に対して径方向に延びる半径方向との更なる鈍角を含む、
結合構造。
【手続補正２】
【補正対象書類名】明細書
【補正対象項目名】０００７
【補正方法】変更
【補正の内容】
【０００７】
特許文献３には、シェービングユニット及びバッテリー区画を収容する主ハウジングを有する電気シェーバーが開示されており、バッテリー区画は、主ハウジング上で対向して配置された２つのピンを含む差込式(bayonet)キャッチにより主ハウジングに結合され、その２つのピンは、このバッテリー区画内に対向して配置された２つのスロットと協働する。バッテリー区画は、差込式キャッチを取り外すように、所定の方向にハウジングに対してバッテリー区画を回転させることによって、主ハウジングから取り外される。
特許文献４には、本体装置と、この本体装置の本体に移動可能に配置されたスライダとを有する電気シェーバーが開示されている。このシェーバーは、ブレード・カートリッジを担持する中間要素に設けられた連結部を介してスライダに接続されたウェットシェービング・ブレード・カートリッジをさらに有する。その連結部は、最小限の力を超えるような力の影響下でブレード・カートリッジをスライダから放出するように設計されている。この連結部によって、シェーバーが落下したときに、本体装置の比較的大きな重量による損傷からブレード・カートリッジを防ぐことができる。連結部は、連結接続を形成するためのスナップ式機構を形成するスライダ及び中間要素上に、協働する弾力のある円弧状のエンボスを含む。連結部は、スライダ及び中間要素上に、協働する傾斜摺動面をさらに含む。ブレード・カートリッジの回転運動が、シェーバーの落下中に外力の影響を受けて発生した場合に、協働する摺動面は、中間要素がスライダから離れる方向に軸線方向に押しのけられ、且つエンボスの結合が解放される結果としてねじ動作を形成する。
【手続補正３】
【補正対象書類名】明細書
【補正対象項目名】０００８
【補正方法】変更
【補正の内容】
【０００８】
【特許文献１】欧州特許第２０８６７２９号明細書
【特許文献２】米国特許第６，３７８，２１０号明細書
【特許文献３】米国特許第３，５６８，３１３号明細書
【特許文献４】米国特許出願公開第２０１０／０２９９９２７号明細書
【手続補正４】
【補正対象書類名】明細書
【補正対象項目名】００１０
【補正方法】変更
【補正の内容】
【００１０】
第１の態様によれば、本発明は、冒頭の段落で述べた種類のパーソナルケア装置を提供する。
中心軸線の周りの第１の回転方向に、結合した結合要素を互いに対して回転させることによって、第１及び第２の結合要素の少なくとも一方の第１の傾斜面が、第１及び第２の結合要素の他方の第１の協働面と協働し、それにより、中心軸線と平行に延びる軸線方向に第１及び第２の結合要素を互いに離れる方向に駆動させ、
中心軸線の周りの第１の回転方向とは反対の第２の回転方向に、結合した結合要素を互いに対して回転させることによって、第１及び第２の結合要素の少なくとも一方の第２の傾斜面が、第１及び第２の結合要素の他方の第２の協働面と協働し、それにより、軸線方向に第１及び第２の結合要素を互いに離れる方向に駆動させ、
第１及び第２の傾斜面は、それぞれ、中心軸線に対して正接方向に延びる接線方向との鈍角を含み、
第１及び第２の傾斜面は、接線方向に対して反対方向に傾斜しており、
第１及び第２の傾斜面は、それぞれ、中心軸線に対して径方向に延びる半径方向との更なる鈍角を含む。
【手続補正５】
【補正対象書類名】明細書
【補正対象項目名】００１１
【補正方法】変更
【補正の内容】
【００１１】
本発明によれば、第１及び第２の傾斜面は、それぞれ、接線方向との鈍角と、半径方向との更なる鈍角とを含む。鈍角及び更なる鈍角は、同じでも、異なっていてもよい。
中心軸線の周りに結合要素を回転させた場合に、第１及び第２の傾斜面は、回転方向に応じて、接線方向に少なくとも移動され、第１及び第２の傾斜面の一方が、軸線方向に第１及び第２の協働面一方の上を摺動する。
第１及び第２の傾斜面によって、これら結合要素は、軸線方向に互いに離れる方向に容易に駆動され、それによって、結合要素同士の間の結合が、解除される。
好ましくは、接線方向に対して反対方向に傾斜した各結合要素上に少なくとも２つの傾斜面があるので、結合要素は、中心軸線の周りの時計回り又は反時計回りのいずれかにトルクを加えることによって、互いに離れる方向に駆動され且つ取り外される。
【手続補正６】
【補正対象書類名】明細書
【補正対象項目名】００１６
【補正方法】変更
【補正の内容】
【００１６】
本発明に係るパーソナルケア装置の更なる実施形態では、第１及び第２の傾斜面は、中心軸線に対して基準半径方向に延びる基準面に対して正接方向に延びる長手方向の直線状の面である。基準面で視たときに、傾斜面は、基準半径方向との鈍角のみを含む。もっとも、基準面及びこの基準面の両側から所定の距離に、傾斜面は、局所的な半径方向に対して斜めに延びる。その結果、これらの位置では、傾斜面は、局所的な接線方向に対して鈍角を含む。このような傾斜面は、容易に製造することができる。傾斜面は、半径方向に対して垂直な方向に一定の距離に亘って延びてもよい。このような傾斜面は、結合要素を互いに結合した場合に、ユーザを支援する外部位置確認の手掛りともなる。傾斜面が中心軸線から比較的遠くに延びる場合に、傾斜面の力、摩擦及び摩耗が比較的小さくなり、それによってより容易な回転安定性が提供される。
【手続補正７】
【補正対象書類名】明細書
【補正対象項目名】００２３
【補正方法】変更
【補正の内容】
【００２３】
本発明は、シェービング装置のようなパーソナルケア装置に使用されるヘッド構造及びベース構造に関し、ここでヘッド構造、ベース構造は、それぞれ、結合要素を含む。結合要素は、パーソナルケア装置のそれぞれのベース構造、ヘッド構造の結合要素の第１及び第２の協働面とそれぞれ協働する第１及び第２の傾斜面を有する。中心軸線の周りの第１の回転方向に、結合した結合要素を互いに対して回転させることによって、第１の傾斜面は、第１の協働面と協働し、それによって、中心軸線に対して平行に延びる軸線方向に結合要素を互いに離れる方向に駆動させる。中心軸線の周りの第１の回転方向とは反対の第２の回転方向に、結合した結合要素を互いに対して回転させることによって、第２の傾斜面は、第２の協働面と協働し、それによって、軸線方向に結合要素を互いに離れる方向に駆動させる。第１及び第２の傾斜面は、それぞれ、中心軸線に対して正接方向に延びる接線方向との鈍角を含む。第１及び第２の傾斜面は、接線方向に対して反対方向に傾斜している。第１及び第２の傾斜面は、それぞれ、中心軸線に対して径方向に延びる半径方向との更なる鈍角を含む。
【手続補正８】
【補正対象書類名】明細書
【補正対象項目名】００２５
【補正方法】変更
【補正の内容】
【００２５】
【図１】本発明に係るシェービング装置の斜視図である。
【図２】図１に示されるようなシェービング装置の一部の斜視図である。
【図３Ａ】本発明に係る協働する２つの結合要素が非結合位置にある実施形態の斜視図である。
【図３Ｂ】図３Ａに示されるような協働する２つの結合要素の一方の概略上面図である。
【図４Ａ】２つの結合要素を結合する間のステップでの、図３に示されるような２つの結合要素の斜視図である。
【図４Ｂ】２つの結合要素を結合する間のステップでの、図３に示されるような２つの結合要素の斜視図である。
【図４Ｃ】２つの結合要素を結合する間のステップでの、図３に示されるような２つの結合要素の斜視図である。
【図４Ｄ】２つの結合要素を結合する間のステップでの、図３に示されるような２つの結合要素の斜視図である。
【図５Ａ】図３に示されるような２つの結合要素が結合位置にある斜視図である。
【図５Ｂ】図３に示されるような２つの結合要素が結合位置にある断面図である。
【図６】従来技術に係る協働する２つの結合要素が非結合位置にある実施形態の斜視図である。
【図７Ａ】２つの結合要素を結合する間のステップでの、図６に示されるような２つの結合要素の斜視図である。
【図７Ｂ】２つの結合要素を結合する間のステップでの、図６に示されるような２つの結合要素の斜視図である。
【図８】図６に示されるような２つの結合要素が結合位置にある斜視図である。
【手続補正９】
【補正対象書類名】明細書
【補正対象項目名】００２７
【補正方法】変更
【補正の内容】
【００２７】
図３Ａ〜図５Ｂには、本発明に係るシェービング装置１の協働する２つの結合要素５，６の実施形態のいくつかの図が示されている。
第１の結合要素５は、中心軸線９に沿って延びる管状部８を含む。この管状部８には、リング形状のカラー１０が設けられている。リング形状のカラー１０は、中心軸線に沿って１８０度に亘って延びる円形部１１と、この円形部１１の両端に接続された直線部１２，１３と、これら直線部１２，１３の間に延びる直線部１４とを含む。直線部１４は、直線部１２，１３に対して垂直に延びる。円形部１１及び直線部１２，１３，１４には、それぞれ、その外側に傾斜面１５が設けられている。中心軸線９に対して半径方向に延びる平面視において、傾斜面１５は、中心軸線９に対して垂直に延びる平面との鈍角Ａを（図５Ｂ参照）を含む。この鈍角Ａは、例えば９５〜１４０度の間の範囲である。傾斜面１５は、第２の結合要素６に向けられている。
【手続補正１０】
【補正対象書類名】明細書
【補正対象項目名】００３８
【補正方法】変更
【補正の内容】
【００３８】
図６〜図８には、従来技術に係るシェービング装置１の協働する２つの結合要素３５，３６の実施形態のいくつかの図が示されている。
第１の結合要素３５は、中心軸線９に沿って延びる管状部３８を含む。この管状部３８には、カラー４０が設けられている。カラー４０は、中心軸線９に沿って約１８０度に亘って延びる第１の円形部４１と、中心軸線に沿って約６０度に亘って延びる第２の円形部４２とを含む。第１及び第２の円形部４１，４２は、中心軸線９に沿って約６０度に亘って延びる空き空間４３によって分離される。空き空間４３の近くの第１及び第２の円形部４１，４２の両端において、第１及び第２の円形部４１，４２には、傾斜面４５，４６が設けられている。傾斜面４５，４６は、カラー４０の上面４７との鈍角Ｂを含む（図６参照）。上面４７は、中心軸線９に対して垂直方向に延びる。さらに、傾斜面４５，４６は、中心軸線９に対して正接方向に延びる接線方向Ｔとそれぞれの傾斜面４５，４６からとの鈍角Ｂを含む。鈍角Ｂは、例えば９５〜１４０度の間の範囲である。傾斜面４５，４６は、反対方向に傾斜している。傾斜面４５，４６は、第２の結合要素３６に向けられている。
【手続補正１１】
【補正対象書類名】明細書
【補正対象項目名】００４７
【補正方法】変更
【補正の内容】
【００４７】
凸部及び凹部の形状、寸法及び位置によって、結合要素を互いに対して２つ以上の異なる向きで互いに結合することも可能であり、各方向で、結合要素が互いに正確に結合される。
本発明によれば、以前に本明細書で説明したシェービング装置以外の他のタイプのパーソナルケア装置、例えばトリマー、ブラシ又はシェービングヘッドの結合部品、又はグルーミング装置のような種類のパーソナルケア装置の結合部品について結合要素を使用することが可能である。